(57)【要約】本発明は、クリームタイプ化粧品容器のシーリング構造に関し、容器本体に仕上げキャップを結合する過程で、仕上げキャップの内部上側に具備した加圧部が、ポンピングガイドキャップの上端面に接触する時、弾性突起が曲がって停止溝に密着するように構成されることにより、ポンピングガイドキャップと仕上げキャップが形成する、空間の体積が減り、圧力が大きくなることによって、効率的なシーリング機能はもちろん、第1バルブ部材が内容物排出ホールを開栓することを防止することができるので、容器本体の内部圧力が上昇しても、内容物の漏液を防止することができる。
2018501841.tif 000002
【特許請求の範囲】
【請求項１】
内容物が貯蔵される第1空間を形成し、内容物の使用によって容積が減る容器本体と、
前記容器本体の上部に結合され、ユーザーの操作によるポンピング作動によって、前記容器本体に貯蔵された内容物を排出するように、その上端に内容物排出ホールが形成されるポンピングガイドキャップと、
前記ポンピングガイドキャップを包んで、前記容器本体の上部に結合され、その内部上側にポンピングガイドキャップの上端を加圧する加圧部を具備する閉鎖キャップと、を含み、
前記ポンピングガイドキャップの上端には、前記加圧部が停止される停止溝が形成され、前記加圧部の下部には、前記停止溝に停止する時に曲がる弾性突起を具備し、前記容器本体に仕上げキャップを結合する過程で、前記弾性突起が前記停止溝に停止する時に、前記弾性突起が曲がって停止溝に密着することによって、空気移動を防止するように構成されることを特徴とするクリームタイプ化粧品容器のシーリング構造。
【請求項２】
内容物が貯蔵される第1空間を形成し、内容物の使用によって容積が減る容器本体と、
前記容器本体の上部に結合され、ユーザーの操作によるポンピング作動によって、前記容器本体に貯蔵された内容物を排出するように、その上端に内容物排出ホールが形成されるポンピングガイドキャップと、
前記ポンピングガイドキャップを包んで、前記ポンピングガイドキャップの上部に結合され、その上部には内容物塗布部材を収納する収納溝を形成し、その下部にはポンピングガイドキャップの上端を加圧する加圧部を具備する仕上げキャップと、
前記内容物塗布部材を包んで、前記容器本体に上下に回動できるように、ヒンジ結合するオーバーキャップと、を含み、
前記ポンピングガイドキャップの上端には、前記加圧部が停止される停止溝が形成され、前記加圧部の下部には、前記停止溝に停止する時に曲がる弾性突起を具備し、前記ポンピングガイドキャップに仕上げキャップを結合する過程で、前記弾性突起が、前記停止溝に停止時に、前記弾性突起が曲がって停止溝に密着することによって、空気移動を防止するように構成されることを特徴とするクリームタイプ化粧品容器のシーリング構造。
【請求項３】
前記容器本体に仕上げキャップを結合する過程で、前記弾性突起が曲がるほど、前記ポンピングガイドキャップと仕上げキャップが、形成する第2空間の体積が減ることによって発生する第2空間の内圧により、前記内容物排出ホールを開閉する第1バルブ部材が開栓されることを防止し、内容物排出ホールを通った内容物の漏液が防止されることを特徴とする、請求項1に記載のクリームタイプ化粧品容器のシーリング構造。 
【請求項４】
請求項4において、
前記ポンピングガイドキャップに仕上げキャップを結合する過程で、前記弾性突起が曲がるほど、前記ポンピングガイドキャップと仕上げキャップが、形成する第2空間の体積が減ることによって発生する第2空間の内圧により、前記内容物排出ホールを開閉する第1バルブ部材が開栓されることを防止し、内容物排出ホールを通った内容物の漏液が防止されることを特徴とする、請求項4に記載のクリームタイプ化粧品容器のシーリング構造。
【発明の詳細な説明】
【技術分野】
【０００１】
本発明は、クリームタイプ化粧品容器のシーリング構造に関し、より詳細には、容器本体に仕上げキャップを結合する過程で、仕上げキャップの内部上側に具備した加圧部が、ポンピングガイドキャップの上端面に接触する時、弾性突起が曲がって停止溝に密着するように構成されることで、ポンピングガイドキャップと仕上げキャップが形成する空間の体積が減り、圧力が大きくなることによって、効率的なシーリング機能はもちろん、第1バルブ部材が内容物排出ホールを開栓することを防止することができるので、容器本体の内部圧力が上昇しても、内容物の漏液を防止することができるクリームタイプ化粧品容器のシーリング構造に関する。
【背景技術】
【０００２】
一般的に、高粘度クリームが貯蔵されるクリームタイプ化粧品容器は、化粧品容器に収容される内容物と空気の接触を防止するように構成され、このようなクリームタイプの化粧品容器が登録特許第10-1453048号に開示されている。
【０００３】
前記登録特許は、内容物を収容し、内容物の使用によって容積が減る容器本体と、
前記容器本体の上部に結合され、ユーザーの加圧可否によって弾性変形され、ポンピング作動により、前記容器本体に収容した内容物を排出するポンピングガイドキャップと、
前記容器本体の内側で、前記ポンピングガイドキャップの下部に内容物を貯蔵する空間を形成し結合され、前記ポンピングガイドキャップの弾性変形によって、前記容器本体に収容した内容物を一定量吸入する内容物吸入部と、を含み、
前記ポンピングガイドキャップは、前記ポンピングガイドキャップの上端一側に位置し、ユーザーの加圧可否によって、その上面が下方向へ移動してから復元される弾性変形により、前記ポンピングガイドキャップと内容物吸入部が形成する空間の圧力を変化させ、ポンピング作動をガイドする弾性材質のボタン部及び、前記ポンピングガイドキャップの上端他側に位置し、前記ボタン部の操作により内容物を排出する内容物排出ホールと、を含むことが特徴である。
【０００４】
前記登録特許は、ボタン部を介したポンピング作動の時に、内容物が内容物排出ホールを通過してポンピングガイドキャップの上端面に排出するように構成され、普段、容器本体の上部に仕上げキャップが結合した状態では、仕上げキャップの内部上側に形成される加圧突起がポンピングガイドキャップの上端を加圧し、ポンピングガイドキャップが容器本体から脱離することを防止する。
【０００５】
しかし、前記加圧突起は、単にポンピングガイドキャップの上端を加圧する構造であり、空気移動を防止するための完璧なシーリング機能を提供することができなくなるので、容器本体の内部圧力が上昇する場合に、内容物排出ホールを通って内容物の漏液が発生するおそれがある問題があった。
【発明の概要】
【発明が解決しようとする課題】
【０００６】
本発明は、上述した問題点を解決するために考案されたもので、本発明の目的は、容器本体に仕上げキャップを結合する過程で、仕上げキャップの内部上側に具備した加圧部が、ポンピングガイドキャップの上端面に接触する時、弾性突起が曲がって停止溝に密着するように構成されることにより、ポンピングガイドキャップと仕上げキャップが形成する空間の体積が減り、圧力が大きくなることによって、効率的なシーリング機能はもちろん、第1バルブ部材が内容物排出ホールを開栓することを防止することができるので、容器本体の内部圧力が上昇しても、内容物の漏液を防止することができるクリームタイプ化粧品容器のシーリング構造を提供することである。
【課題を解決するための手段】
【０００７】
前記のような問題点を解決するために、本発明の第1実施例に係るクリームタイプ化粧品容器のシーリング構造は、内容物が貯蔵される第1空間を形成し、内容物の使用によって容積が減る容器本体と、
前記容器本体の上部に結合され、ユーザーの操作によるポンピング作動により、前記容器本体に貯蔵された内容物を排出するように、その上端に内容物排出ホールが形成されるポンピングガイドキャップと、
前記ポンピングガイドキャップを包んで、前記容器本体の上部に結合され、その内部上側にポンピングガイドキャップの上端を加圧する加圧部を具備した閉鎖キャップと、を含み、
前記ポンピングガイドキャップの上端には、前記加圧部が停止される停止溝が形成され、前記加圧部の下部には、前記停止溝に停止する時に曲がる弾性突起を具備し、前記容器本体に仕上げキャップを結合する過程で、前記弾性突起が前記停止溝に停止する時に、前記弾性突起が曲がって停止溝に密着することによって、空気移動を防止するように構成されることを特徴とする。
【０００８】
また、前記容器本体に仕上げキャップを結合する過程で、前記弾性突起が曲がるほど、前記ポンピングガイドキャップと仕上げキャップが形成する、第2空間の体積が減ることによって発生する第2空間の内圧により、前記内容物排出ホールを開閉する第1バルブ部材が開栓されることを防止し、内容物排出ホールを通った内容物の漏液が防止されることを特徴とする。
【０００９】
一方、本発明の第2実施例に係るクリームタイプ化粧品容器のシーリング構造は、内容物が貯蔵される第1空間を形成し、内容物の使用によって容積が減る容器本体と、
前記容器本体の上部に結合され、ユーザーの操作によるポンピング作動により、前記容器本体に貯蔵された内容物を排出するように、その上端に内容物排出ホールが形成されるポンピングガイドキャップと、
前記ポンピングガイドキャップを包んで、前記ポンピングガイドキャップの上部に結合され、その上部には内容物の塗布部材を収納する収納溝が形成され、その下部にはポンピングガイドキャップの上端を加圧する加圧部を具備する閉鎖キャップと、
前記内容物の塗布部材を包んで、前記容器本体に上下に回動できるように、ヒンジ結合されるオーバーキャップと、を含み、
前記ポンピングガイドキャップの上端には、前記加圧部が停止される停止溝が形成され、前記加圧部の下部には、前記停止溝に停止する時に曲がる弾性突起を具備し、前記ポンピングガイドキャップに仕上げキャップを結合する過程で、前記弾性突起が前記停止溝に停止する時に、前記弾性突起が曲がって停止溝に密着することによって、空気移動を防止するように構成されることを特徴とする。
【００１０】
また、前記ポンピングガイドキャップに仕上げキャップを結合する過程で、前記弾性突起が曲がるほど、前記ポンピングガイドキャップと仕上げキャップが形成する、第2空間の体積が減ることによって、発生する第2空間の内圧により、前記内容物排出ホールを開閉する第1バルブ部材が開栓されることを防止し、内容物排出ホールを通って内容物の漏液が防止されることを特徴とする。
【発明の効果】
【００１１】
以上のように、本発明によれば、容器本体に仕上げキャップを結合する過程で、仕上げキャップの内部上側に具備した加圧部が、ポンピングガイドキャップの上端面に接触する時、弾性突起が曲がって停止溝に密着するように構成されることにより、ポンピングガイドキャップと仕上げキャップが形成する空間の体積が減り、圧力が大きくなることによって、効率的なシーリング機能はもちろん、第1バルブ部材が内容物排出ホールを開栓することを防止することができるので、容器本体の内部圧力が上昇しても、内容物の漏液を防止することができる長所がある。
【図面の簡単な説明】
【００１２】
【図１】本発明の第1の実施例に係るクリームタイプ化粧品容器のシーリング構造の構成を示す分解図である。
【図２】本発明の第1実施例に係るクリームタイプ化粧品容器のシーリング構造の構成を示す組立断面図である。
【図３】本発明の第1実施例に係るクリームタイプ化粧品容器のシーリング構造の作動状態図である。
【図４】本発明の第2実施例に係るクリームタイプ化粧品容器のシーリング構造の構成を示す組立断面図である。
【図５】本発明の第2実施例に係るクリームタイプ化粧品容器のシーリング構造の作動状態図である。
【発明を実施するための形態】
【００１３】
以下、図面を参照して本発明を詳細に説明する。各図面に提示された同一の参照符号は、同一の部材を示す。
【００１４】
図1は、本発明の第1実施例に係るクリームタイプ化粧品容器のシーリング構造の構成を示す分解断面図であり、図2は、本発明の第1実施例に係るクリームタイプ化粧品容器のシーリング構造の構成を示す組立断面図であり、図3は、本発明の第1実施例に係るクリームタイプ化粧品容器のシーリング構造の作動状態図である。
【００１５】
図1〜3を参照すると、本発明の好ましい実施例に係るクリームタイプ化粧品容器のシーリング構造は、容器本体（100）、ポンピングガイドキャップ（200）、仕上げキャップ（400）を含む。
【００１６】
前記容器本体（100）は、内容物を収容するもので、その内部には内容物の使用によって上昇するピストン（110）を具備する。
【００１７】
前記容器本体（100）の下端部には、後述するポンピングガイドキャップ（200）の操作を介したポンピング作動により、ピストン（110）の上昇する時に、容器本体（100）の内部に空気が流入するように空気流入ホール（120）が形成される。
【００１８】
前記ポンピングガイドキャップ（200）は、前記容器本体（100）の上部に結合され、容器本体（100）の上端開口部を閉鎖するもので、前記容器本体（100）の上部にポンピングガイドキャップ（200）を固定することができるように、前記容器本体（100）の上部に結合する結合部（210）を具備する。
【００１９】
前記ポンピングガイドキャップ（200）の上端一側には、ユーザーの加圧可否によって弾性変形され、後述する内容物吸入部（300）とポンピングガイドキャップ（200）が形成する空間の圧力を変化させ、内容物吸入部（300）に吸入された内容物を外部に排出するボタン部（220）を具備し、前記ボタン部（220）はユーザーが上端部を加圧する時に、上面全体が下方向へ移動してから、ユーザーが加圧を解除する時に復元され、内容物吸入部（300）とポンピングガイドキャップ（200）が形成する空間の圧力を変化させることで、ポンピング作動をガイドし、ユーザーの加圧可否によって弾性変形されることができるように弾性材質で形成される。
【００２０】
一方、前記ポンピングガイドキャップ（200）の上端他側には、前記ボタン部（220）の操作によるポンピング作動によって、内容物を排出するように内容物排出ホール（230）が形成され、前記内容物排出ホール（230）には、前記ボタン部（220）の加圧可否によって、前記内容物排出ホール（230）を開閉する第1バルブ部材（231）が設置される。
【００２１】
本発明において、前記ポンピングガイドキャップ（200）の上端には、仕上げキャップ（400）の加圧部（410）が停止する停止溝（240）が形成されることが特徴で、前記停止溝（240）は加圧部（410）の弾性突起（411）が密着され、空気流入を防止することができるように弾性突起（411）に対応する形状で形成されることが好ましい。
【００２２】
前記内容物吸入部（300）は、前記容器本体（100）の内側で、前記ポンピングガイドキャップ（200）の下部に結合され、前記ポンピングガイドキャップ（200）のボタン部（220）の弾性変形によって、前記容器本体（100）に貯蔵された内容物を一定量吸入するもので、容器本体（100）に貯蔵された内容物を吸入して貯蔵することができるように、ポンピングガイドキャップ（200）の下部からポンピングガイドキャップ（200）と、一定間隔に離間され、内容物を貯蔵する空間を形成し結合される。
【００２３】
また、前記内容物吸入部（300）には、前記容器本体（100）に貯蔵された内容物が流入するように内容物流入ホール（310）が形成され、前記内容物流入ホール（310）には、前記ボタン部（220）の加圧可否によって、前記内容物流入ホール（310）を開閉する第2バルブ部材（311）が設置される。
【００２４】
前記内容物吸入部（300）は、容器本体（100）に収容される内容物を一定量吸入して貯蔵することで、ボタン部（220）の操作によるポンピング作動の時に、常に一定量の内容物を排出することができるようにガイドする。
【００２５】
前記仕上げキャップ（400）は、前記ポンピングガイドキャップ（200）を包んで、前記容器本体（100）の上部に結合されるもので、ボタン部（220）の誤作動を防止し、第1バルブ部材（231）が外部の衝撃から破損されることを防止する。
【００２６】
前記仕上げキャップ（400）の内部上側には、前記ポンピングガイドキャップ（200）が容器本体（100）から脱離されることを防止するように、ポンピングガイドキャップ（200）の上端を加圧する加圧部（410）が形成され、本発明において、前記加圧部（410）の下部には、前記停止溝（240）に停止する時に、曲がる弾性突起（411）を具備することが特徴である。
【００２７】
前記弾性突起（411）は、前記容器本体（100）に仕上げキャップ（400）を結合する過程で、前記停止溝（240）に当接する場合に、曲がる弾性材質で形成され、停止溝（240）に停止する時に、曲がって停止溝（240）に密着することによって、ポンピングガイドキャップ（200）と仕上げキャップ（400）が形成する第2空間（S2）へ空気が流入することを防止してシーリング機能を提供する。
【００２８】
図3を参照して、詳細に説明すると、容器本体（100）に仕上げキャップ（400）を螺子結合する時に、螺子結合が完了する前に、前記弾性突起（411）が停止溝（240）に停止が行われ、この状態で仕上げキャップ（400）をさらに回転すると、仕上げキャップ（400）が容器本体（100）に螺子結合が完了する時点で、前記弾性突起（411）が曲がって停止溝（240）に密着する。
【００２９】
前記のように、弾性突起（411）が曲がって停止溝（240）に密着すると、弾性突起（411）が曲がるほど、前記ポンピングガイドキャップ（200）と仕上げキャップ（400）が形成する第2空間（S2）の体積が減少する。これにより、発生する第2空間（S2）の内圧によって、前記内容物排出ホール（230）を開閉する第1バルブ部材（231）に圧力が加えられ、第1バルブ部材（231）が開栓されることを防止することにより、内容物が貯蔵される第1空間（S1）の圧力が上昇しても、内容物排出ホール（230）を通った内容物の漏液を防止することができる。
【００３０】
以下では、図4及び5を参照し、本発明の第2実施例に係るクリームタイプ化粧品容器のシーリング構造を説明する。図4は、本発明の第2実施例に係るクリームタイプ化粧品容器のシーリング構造の構成を示す組立断面図であり、図5は、本発明の第2実施例に係るクリームタイプ化粧品容器のシーリング構造の作動状態図である。
【００３１】
図4及び5を参照すると、本発明の第2実施例に係るクリームタイプの化粧品容器は、コンパクト容器に関するもので、容器本体（100'）、ポンピングガイドキャップ（200'）、内容物吸入部（300'）、仕上げキャップ（400'）、オーバーキャップ（500）を含み、前記容器本体（100'）、ポンピングガイドキャップ（200'）、内容物吸入部（300'）を成す各構成は、第1実施例で、くだんのところと、その構造および機能が同一なので、以下では、仕上げキャップ（400'）の構造的差異点について説明する。
【００３２】
前記仕上げキャップ（400'）は、前記ポンピングガイドキャップ（200'）を包んで、前記ポンピングガイドキャップ（200'）の上部に結合するもので、その上部にはパフなどの内容物塗布部材（P）を収納する収納溝（420）が形成され、その下部には、前記ポンピングガイドキャップ（200'）が容器本体（100'）から脱離することを防止するように、ポンピングガイドキャップ（200'）の上端を加圧する加圧部（410'）を形成し、本発明において、前記加圧部（410'）の下部には、前記停止溝（240'）に停止する時に曲がる弾性突起（411'）を具備することが特徴である。
【００３３】
前記弾性突起（411'）は、前記ポンピングガイドキャップ（200'）に仕上げキャップ（400）を結合する過程、すなわち、上部に回動して開栓された仕上げキャップ（400）を下方向へ回動する過程で、前記停止溝（240'）に当接する場合、曲がる弾性材質で形成され、停止溝（240'）に停止する時に曲がって停止溝（240'）に密着することによって、ポンピングガイドキャップ（200'）と仕上げキャップ（400'）が形成する、第2空間（S2）へ空気が流入することを防止してシーリング機能を提供する。
【００３４】
図5を参照して、詳細に説明すると、仕上げキャップ（400'）を下方向へ回動し、ポンピングガイドキャップ（200'）に結合する時、結合が完了する前に、前記弾性突起（411'）が停止溝（240'）に停止が行われ、この状態で仕上げキャップ（400'）を下方向へ最後まで移動させると、仕上げキャップ（400'）がポンピングガイドキャップ（200'）に結合が完了する時点で、前記弾性突起（411'）が曲がって停止溝（240'）に密着する。
【００３５】
前記のように、弾性突起（411'）が曲がって停止溝（240'）に密着すると、弾性突起（411'）が曲がるほど、前記ポンピングガイドキャップ（200'）と仕上げキャップ（400'）が形成する、第2空間（S2）の体積が減るようになる。これにより発生する第2空間（S2）の内圧によって、前記内容物排出ホール（230'）を開閉する第1バルブ部材（231'）に圧力が加えられ、第1バルブ部材（231'）が開栓されることを防止することにより、内容物が貯蔵される第1空間（S1）の圧力が上昇しても内容物排出ホール（230'）を通った内容物の漏液を防止することができる。
【００３６】
すなわち、本発明は、ポンピング作用によってポンピングガイドキャップ（200,200'）の上端へ内容物が吐出される構造の化粧品容器において、仕上げキャップ（200,200'）がポンピングガイドキャップ（200,200'）の上部を閉鎖した状態で、ポンピングガイドキャップ（200,200'）と仕上げキャップ（400,400'）が形成する空間（S2）をシーリング処理することにより、空気が移動することを防止することができるので、内容物が貯蔵される第1空間（S1）の圧力が上昇しても、内容物排出ホール（230,230'）を通った内容物の漏液を防止することができる。
【００３７】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018501841.tif 000003
【図２】
2018501841.tif 000004
【図３】
2018501841.tif 000005
【図４】
2018501841.tif 000006
【図５】
2018501841.tif 000007
【国際調査報告】
2018501841.tif 000008
2018501841.tif 000009
2018501841.tif 000010
2018501841.tif 000011